(57)【特許請求の範囲】
【請求項１】
未使用の転写テープが巻装されて回転可能に支持される供給ボビンと、
使用済みの前記転写テープが巻装されて回転自在に支持される巻取ボビンと、
前記供給ボビンに固定される供給側回転軸と、
前記巻取ボビンに固定される巻取側回転軸と、
前記供給側回転軸と回転連結されるラチェット軸と、
前記供給側回転軸と前記巻取側回転軸を回転連結するとともに第１のクラッチを備える第１の回転連結機構と、
前記ラチェット軸と係止可能なラチェット回転部材を備えて前記ラチェット回転部材を介して前記ラチェット軸と前記巻取側回転軸とを回転連結する第２の回転連結機構と、
を有し、
前記ラチェット軸の回転数に対する前記ラチェット回転部材の回転数の比は、１より大きいことを特徴とする塗膜転写具。
【請求項２】
前記第２の回転連結機構は、第２のクラッチを有することを特徴とする請求項１に記載の塗膜転写具。
【請求項３】
クラッチ力は、前記第１のクラッチよりも前記第２のクラッチの方が小さいことを特徴とする請求項２に記載の塗膜転写具。
【請求項４】
前記第１の回転連結機構及び前記第２の回転連結機構は、複数のギヤにより回転連結されるとともに、前記供給ボビン及び前記巻取ボビンに対して一方側の側面に配置されることを特徴とする請求項１乃至請求項３の何れか記載の塗膜転写具。
【請求項５】
前記ラチェット軸は、前記供給側回転軸と同軸とされるとともに、外周にラチェット歯が形成され、
前記ラチェット回転部材は、前記ラチェット歯と係止可能に形成される係止爪を備え、
前記係止爪は、前記ラチェット軸の軸心方向に付勢されることを特徴とする請求項１乃至請求項４の何れか記載の塗膜転写具。
【発明の詳細な説明】
【技術分野】
【０００１】
本発明は、転写テープの転写層を被転写面に転写する塗膜転写具に関する。
【背景技術】
【０００２】
従来から、修正テープやテープ糊等に適用される塗膜転写具が提供されている。例えば、特許文献１には、巻取ボビンが巻き取った使用済みのテープ量が増大して転写テープの張力が増加しても、この張力を緩和する塗膜転写具が開示されている。
【０００３】
この塗膜転写具には、転写ヘッドが備えられるホルダーと、ケースに軸支される供給ボビンとが設けられている。このホルダーは、位置規制部材により初期位置に保たれている。そして、巻取ボビンは、ホルダーに軸支されている。張力が増加した状態で塗膜転写具を使用すると、転写ヘッドが転写面に押圧されることによりホルダーが移動して巻取ボビンが供給ボビンに接近され、転写テープの張力が緩和される。
【先行技術文献】
【特許文献】
【０００４】
【特許文献１】特開２００９−２８５８８３号公報
【発明の概要】
【発明が解決しようとする課題】
【０００５】
特許文献１に開示される塗膜転写具によれば、通常使用時において巻取ボビンが巻き取った転写テープの量が増えたことに起因する転写テープの張力増加は解消される。しかしながら、転写テープが転写面で拾った消しゴムのかす等のゴミや、転写テープの転写層の一部がケース内における転写テープが通される箇所に詰まる等して軽度の固着が発生した場合にも、転写テープは移動し難くなり、転写テープの張力が増加する。すると、転写操作は重くなる。しかしながら、特許文献１に開示される塗膜転写具においては、このような転写テープの軽度の固着を解消することはできない。そして、無理に転写操作をして供給ボビンを回転させても、供給ボビンと巻取ボビンとを回転連結する連動機構に設けられるクラッチ機構が作動して、供給ボビンだけが回転されてしまうこととなる。
【０００６】
本発明の目的は、転写テープに軽度の固着が発生しても容易に通常の使用状態に復帰させることができる塗膜転写具を提供する。
【課題を解決するための手段】
【０００７】
本発明に係る塗膜転写具は、未使用の転写テープが巻装されて回転可能に支持される供給ボビンと、使用済みの前記転写テープが巻装されて回転自在に支持される巻取ボビンと、前記供給ボビンに固定される供給側回転軸と、前記巻取ボビンに固定される巻取側回転軸と、前記供給側回転軸と回転連結されるラチェット軸と、前記供給側回転軸と前記巻取側回転軸を回転連結するとともに第１のクラッチを備える第１の回転連結機構と、前記ラチェット軸と係止可能なラチェット回転部材を備えて前記ラチェット回転部材を介して前記ラチェット軸と前記巻取側回転軸とを回転連結する第２の回転連結機構と、を有し、前記ラチェット軸の回転数に対する前記ラチェット回転部材の回転数の比は、１より大きくなるよう形成される。
【０００８】
また、前記第２の回転連結機構は、第２のクラッチを有する。
【０００９】
また、クラッチ力は、前記第１のクラッチよりも前記第２のクラッチの方が小さくなるよう形成される。
【００１０】
また、前記第１の回転連結機構及び前記第２の回転連結機構は、複数のギヤにより回転連結されるとともに、前記供給ボビン及び前記巻取ボビンに対して一方側の側面に配置される。
【００１１】
また、前記ラチェット軸は、前記供給側回転軸と同軸とされるとともに、外周にラチェット歯が形成され、前記ラチェット回転部材は、前記ラチェット歯と係止可能に形成される係止爪を備え、前記係止爪は、前記ラチェット軸の軸心方向に付勢される。
【発明の効果】
【００１２】
本発明に係る塗膜転写具によれば、通常の転写操作の状態においては、供給ボビンの回転により供給側回転軸が回転する。そして、供給側回転軸が回転すると、供給側回転軸と巻取側回転軸とを回転連結する第１の回転連結機構により、巻取ボビンが回転される。そして、供給ボビンと巻取ボビンの回転数の差（換言すれば、転写テープの送り量と巻取量の差）は、第１のクラッチにより調整される。一方、供給側回転軸とラチェット軸は、回転連結されている。そして、ラチェット軸の回転数に対するラチェット回転部材の回転数の比は、１より大きく形成されている。従って、通常の転写操作の状態においては、ラチェット回転部材は、ラチェット軸よりも高い回転数で回転されて空回りさせることができる。
【００１３】
ここで、転写テープに軽度の固着が発生すると、巻取ボビンの回転が停止されてしまう。しかしながら、強制的に転写操作を行って供給ボビンを回転させれば、第１のクラッチを滑らせて、供給ボビンと供給側回転軸及び、供給側回転軸と回転連結されるラチェット軸のみを回転させることができる。すると、ラチェット回転部材の回転は停止されているので、ラチェット軸とラチェット回転部材を係止させることができる。ラチェット軸とラチェット回転部材が係止されると、第２の回転連結機構に回転力が伝達される。
【００１４】
このようにして、転写テープに軽度の固着が発生した場合には第２の回転連結機構に回転力を伝達させることで、巻取ボビンを回転させて転写テープを巻き取らせたり、供給ボビン及び巻取ボビンの回転を停止させて使用者に転写テープの固着状態を感知させたりすることができるので、転写テープの固着状態を容易に復帰させることができる。
【００１５】
また、第２の回転連結機構に第２のクラッチを設けることにより、転写テープに軽度の固着が発生して第２の回転連結機構に回転力が伝達された場合においても、供給ボビンと巻取ボビンの回転数の差を第２クラッチにより調整することができる。従って、通常の転写操作において転写テープに軽度の固着が発生しても、引き続き転写操作を行うことにより巻取ボビンを回転させて、転写テープにおける軽度の固着を復帰させることができる。
【００１６】
また、第１のクラッチよりも第２のクラッチのクラッチ力を小さくすれば、軽度の固着により、通常の転写操作から軽度の固着状態における転写操作に切り替わっても、転写操作の重さの変化を少なくすることができる。従って、塗膜転写具の使用者は違和感なく塗膜転写具を使用することができる。
【００１７】
また、第１の回転連結機構及び第２の回転連結機構は、それぞれ複数のギヤにより回転連結されるとともに、供給ボビン及び巻取ボビンに対して一方面側に配置される。これにより、コンパクトに塗膜転写具を形成することができる。
【００１８】
また、ラチェット軸は、供給側回転軸と同軸とされるとともに、外周にラチェット歯が形成される。そして、ラチェット回転部材は、このラチェット歯と係止される係止爪とされる。これにより、さらにコンパクトに塗膜転写具を形成することができる。
【図面の簡単な説明】
【００１９】
【図１】本発明の実施形態に係る塗膜転写具を示し、（ａ）は使用状態を示し、（ｂ）は収納状態を示す。
【図２】本発明の実施形態に係る塗膜転写具を左前方から見た分解斜視図である。
【図３】本発明の実施形態に係る塗膜転写具を右前方から見た分解斜視図である。
【図４】本発明の実施形態に係る塗膜転写具の左ケースを外した状態を示す斜視図である。
【図５】本発明の実施形態に係る塗膜転写具の連動機構を示す斜視図である。
【図６】本発明の実施形態に係る塗膜転写具の連動機構の一部を分解した斜視図である。
【図７】本発明の実施形態に係る塗膜転写具の連動機構の模式図であり、（ａ）は本実施形態を示し、（ｂ）及び（ｃ）はその変形例を示す。
【発明を実施するための形態】
【００２０】
以下、本発明の実施形態を図に基づいて説明する。図１（ａ），（ｂ）は塗膜転写具１０の斜視図である。塗膜転写具１０は、ケース本体５を備える。この塗膜転写具１０は、転写テープＴの転写層を被転写面に転写する転写ヘッド２０がケース本体５から出没可能に設けられている。なお、以下の説明においては、転写ヘッド２０が備えられる方向を前とし、その反対方向を後とする。また、塗膜転写具１０を後方から前方に向かって見たときの左側を左、右側を右、図１（ａ），（ｂ）の上側を上、下側を下として説明する。
【００２１】
転写ヘッド２０の出没操作は、ケース本体５側面に設けられる出没操作レバー７で行うことができる。転写テープＴの転写層を被転写面に転写する塗膜転写具１０による転写操作は、まず、図１（ａ）に示すように、出没操作レバー７により転写ヘッド２０をケース本体５から突出させる。そして、ケース本体５を把持し、転写ヘッド２０を被転写面に押し付けるようにして引くことで行われる。そして使用後は、出没操作レバー７により、図１（ｂ）に示すように、転写ヘッド２０をケース本体５に没入させて収納状態とすることができる。
【００２２】
次に、塗膜転写具１０の内部構造を図２及び図３の分解斜視図により説明する。ケース本体５は、左ケース５１と右ケース５２が分離及び結合可能に形成される。左ケース５１と右ケース５２は、それぞれ前後に長い略シェル状に形成される。主に図３に示されるように、左ケース５１は、上下の縁に、それぞれ被係止部５１ａ，５１ｂが設けられている。そして、左ケース５１における前方下側の縁近傍の内面からは、平板状のガイド板５１ｃが立設されている。さらに、左ケース５１における後方下側の縁近傍の内面からは、円柱状の第一ガイド柱５１ｄが立設されている。そして、左ケース５１のやや前寄りの上縁近傍には、円柱状の第二ガイド柱５１ｊが立設されている。
【００２３】
一方、図２に主に示されるように、右ケース５２には、上下の縁に、係止部５２ａ，５２ｂが設けられている。そして、右ケース５２における前方下側の縁部には、ガイド板被挿入部５２ｃが形成されている。さらに、右ケース５２における後方下側の縁部には、円筒状の第一ガイド柱被挿入部５２ｄが形成されている。そして、右ケース５２前寄りの上縁には、第二ガイド柱被挿入部５２ｊが設けられている。
【００２４】
左ケース５１と右ケース５２は、係止部５２ａ，５２ｂがそれぞれ被係止部５１ａ，５１ｂと係止されて結合される。具体的には、係止部５２ａ，５２ｂにそれぞれ前後二箇所に設けられて相反して弾発される係止爪５２ａ１，５２ｂ１が、被係止部５１ａ，５１ｂに設けられる係止部（図示せず）に係止されてなる。またこのとき、ガイド板５１ｃがガイド板被挿入部５２ｃに挿入される。そして、第一ガイド柱５１ｄが第一ガイド柱被挿入部５２ｄに挿入され、第二ガイド柱５１ｊは第二ガイド柱被挿入部５２ｊに挿入される。従って、左ケース５１と右ケース５２は、結合時にガイドされて結合される。
【００２５】
左ケース５１と右ケース５２の分離は、被係止部５１ａ，５１ｂそれぞれに設けられる押圧板を押すと、それぞれ二つの係止爪５２ａ１，５２ｂ１が弾発力に反して接近し、被係止部５１ａ，５１ｂの係止部との係止が解除される。これにより、左ケース５１と右ケース５２を分離することができる。
【００２６】
また、左ケース５１及び右ケース５２には、前端に切り欠き状に形成された左開口部５１ｅ、右開口部５２ｅがそれぞれ形成されている。左ケース５１と右ケース５２が結合されると、左開口部５１ｅ及び右開口部５２ｅにより開口部５ｅ（図１（ａ），（ｂ）参照）が形成される。この開口部５ｅから転写ヘッド２０が出没される。また、主に図２に示されるように、左ケース５１の外面前方には、出没操作レバー７が突出される円弧孔部５１ｆが形成されている。
【００２７】
一方、図２及び図３に示すように、転写ヘッド２０には、前後に長いベースプレート２１が設けられる。ベースプレート２１は、前端に転写ローラ支持部２２が形成されている。転写ローラ支持部２２には、回転自在に転写ローラ２３が支持されている。転写ローラ支持部２２は、転写ローラ２３の右端を支持する右支持部２２ａが形成されている。そして、ベースプレート２１の前端部近傍（換言すれば、右支持部２２ａの後方側）の内面からは、支持円筒２２ｂが立設される。支持円筒２２ｂは、円筒状に形成される円筒状部と、この円筒状部を支持するリブ部により形成されている。
【００２８】
そして、この支持円筒２２ｂの左端から前方に延びるようにして、板状の左支持部２２ｃが形成されている。この左支持部２２ｃにより、転写ローラ２３の左端が回転自在に支持される。従って、左支持部２２ｃ及び右支持部２２ａにより、転写ローラ２３は回転自在に支持される。そして、ベースプレート２１と、転写ローラ支持部２２（右支持部２２ａ，支持円筒２２ｂ，左支持部２２ｃ）は、一体に形成されている。
【００２９】
また、転写ローラ支持部２２の上側には、右支持部２２ａと左支持部２２ｃに渡ってブリッジ状に設けられるガード枠２６が設けられている。
【００３０】
ベースプレート２１の左側の面における略中央部には、供給ボビン３１が配置される供給ボビン受部２１ａが形成されている。供給ボビン受部２１ａの略中央部には、挿入孔２１ａ１が形成されている。挿入孔２１ａ１には、供給ボビン３１を支持する後述の供給ボビン支持軸２５ａが挿入されて固定される。
【００３１】
ベースプレート２１の左側の面における供給ボビン受部２１ａの後側には、巻取ボビン３２が配置される巻取ボビン受部２１ｂが形成されている。巻取ボビン受部２１ｂは、環状に突出して形成される環状受部２１ｂ１と、この環状受部２１ｂ１の中心から立設する巻取ボビン右支持軸２１ｂ２が設けられている。
【００３２】
図３に示されるように、環状受部２１ｂ１の内周面上には、逆転防止用のラチェット歯２１ｂ３が形成されている。ラチェット歯２１ｂ３は、巻取ボビン３２の胴部の内側から右方向に突出して形成される複数の係止爪３２ａと係止可能とされる。このラチェット歯２１ｂ３と係止爪３２ａとにより、巻取ボビン３２は、ベースプレート２１の右側面後方に表示される矢印方向（すなわち巻取方向）のみに回転可能に形成されて、逆回転が防止されている。
【００３３】
ベースプレート２１の前後方向中央からやや後方寄りの上下縁部近傍には、それぞれ係止長孔２１ｄ，２１ｅが設けられている。係止長孔２１ｄ，２１ｅは、前後に長い側面視略矩形形状の孔とされている。
【００３４】
図３に主に示されるように、ベースプレート２１の左側の面に対向する位置には、保持プレート２５が配置される。保持プレート２５における右側面の前後方向略中央には、前述の供給ボビン支持軸２５ａが右側面から立設されている。保持プレート２５の右側面の後端部近傍には、巻取ボビン左支持軸２５ｂが右側面から立設される。そして、保持プレート２５の前後方向やや後方の上下の縁部には、右方向に向けて立設される板状の結合プレート２５ｃ，２５ｄが設けられている。結合プレート２５ｃ，２５ｄの先端部には、それぞれ鉤状の係止部が形成されている。
【００３５】
保持プレート２５の前端部近傍における右側面上には、円柱状の挿入突起２５ｅが立設されている。さらに、この挿入突起２５ｅの前方側には、カム部２５ｆが形成されている。カム部２５ｆは、上側から下前方側にかけて開けられる孔として形成される。
【００３６】
保持プレート２５の左側面には、図２に示すように、円筒形状のギヤ支持軸２５ｇが左側面から立設されている。そして、ギヤ支持軸２５ｇの後側下方には、小ギヤ支持軸２５ｈが左側面から立設されている。ギヤ支持軸２５ｇ及び小ギヤ支持軸２５ｈの周囲は、側面視略円形の凹部が形成されており、各ギヤが収納可能とされている。そして、この凹部の周壁は、保持プレート２５の左側面に配置される各ギヤと右側面に配置される各ギヤとが歯合できるように開口部が形成されている。
【００３７】
ベースプレート２１と保持プレート２５間には供給ボビン３１や巻取ボビン３２等が配置される（図４参照）。そして、結合プレート２５ｃ，２５ｄ先端部の係止部は、係止長孔２１ｄ，２１ｅとそれぞれ係止される。このとき、供給ボビン支持軸２５ａは、その先端部が挿入孔２１ａ１と係止して供給ボビン３１を回転自在に支持する。また、巻取ボビン左支持軸２５ｂと巻取ボビン右支持軸２１ｂ２は同軸に合わせられる。これにより、巻取ボビン３２は回転自在に支持される。そして、挿入突起２５ｅは、支持円筒２２ｂの円筒内に挿入される。
【００３８】
このようにして、図４に示すように、ベースプレート２１と保持プレート２５の間に供給ボビン３１、巻取ボビン３２、複数のギヤ等及び転写ヘッド２０等が配置され、保持プレート２５の左側の面に複数のギヤが備えられて、レフィールユニット４０が形成される。そして、保持プレート２５及びベースプレート２１は、その一部が左ケース５１及び右ケース５２の内面に形成されるガイドレールによりガイドされている。これにより、レフィールユニット４０はケース本体５に対して前後動自在に支持されている。
【００３９】
一方、保持プレート２５と左ケース５１との間における前方側には、出没シャッター部材７０が回動自在に配置される。図２及び図３にも示されるように、出没シャッター部材７０は、円環状部７１と、側面視凸湾曲状の曲面が形成されるシャッター部７２を備える。円環状部７１の右側面側には、円柱状に右方向に突出されるフォロア部７１ａが形成されている。このフォロア部７１ａは、カム部２５ｆと係合される。
【００４０】
従って、出没操作レバー７を操作することにより出没シャッター部材７０が回動され、フォロア部７１ａがカム部２５ｆに倣って相対的に移動する。すると、レフィールユニット４０はケース本体５に対して前後に移動される。そして、レフィールユニット４０の前後移動に合わせて、転写ヘッド２０がケース本体５の開口部５ｅから突出及び没入される。さらに、出没操作レバー７の回動操作によりシャッター部７２も回動される。従って、転写ヘッド２０の出没に合わせて、シャッター部７２により開口部５ｅが開閉される。
【００４１】
また、転写操作における転写テープＴは、供給ボビン３１から以下のようにして送られて、巻取ボビン３２により巻き取られる。供給ボビン３１に巻装される未使用の転写テープＴは、供給ボビン３１の下側から送り出される。そして、転写テープＴは、転写ローラ２３に送られる。転写テープＴは、転写ローラ２３により被転写面に転写層が転写された後、転写ローラ２３を回ってガード枠２６の下側を通り、ケース本体５内に送られる。ケース本体５内に送られた転写テープＴは、供給ボビン３１に巻回される未使用の転写テープＴの上側と接触して下方に方向変換された後、巻取ボビン３２の下側から、巻取ボビン３２により巻き取られる。
【００４２】
次に、供給ボビン３１及び巻取ボビン３２を連動して回転させる連動機構について説明する。図２に示すように、供給ボビン３１には、中心に挿入軸３３が挿入されている。挿入軸３３は、供給ボビン３１に対して固定され、中心には供給ボビン支持軸２５ａが挿入される貫通孔３３ａが形成されている。挿入軸３３は、供給ボビン３１の左側面から突出される部分が３段の略円板状として形成されている。この３段の略円板状の部分のうち、挿入軸３３が供給ボビン３１の左側面から突出される部分は、大径の鍔部３３ｂが供給ボビン３１の左側面側に配置される。鍔部３３ｂの左側には、鍔部３３ｂよりも小径の第一クラッチ軸３３ｃが形成されている。同様に、第一クラッチ軸３３ｃの左側には、第一クラッチ軸３３ｃよりも小径のラチェット軸３３ｄが形成されている。鍔部３３ｂ、第一クラッチ軸３３ｃ及びラチェット軸３３ｄは、それぞれ供給ボビン３１と同軸に配置されている。
【００４３】
次に、供給ボビン３１及び巻取ボビン３２の連動機構を構成する各ギヤ等の配置について、図５及び図６に基づいて説明する。供給ボビン３１の左側面には、第一クラッチギヤ６１が配置される。第一クラッチギヤ６１は、図６に示すように、内側３箇所に波形のクラッチばね６１ａが形成されている。第一クラッチ軸３３ｃの外周側面は、３つのクラッチばね６１ａに内接される。クラッチばね６１ａは、樹脂材料により形成されて、第一クラッチギヤ６１の径方向に弾発されるよう形成される。従って、第一クラッチ軸３３ｃと３つのクラッチばね６１ａとにより、所定のクラッチ力で第一クラッチ軸３３ｃとクラッチばね６１ａが滑り始める第１のクラッチ６０が形成される。
【００４４】
第一クラッチギヤ６１は、第一クラッチギヤ６１の後側に配置される中間ギヤ６２と歯合する。中間ギヤ６２には、その中心に円筒状の第二クラッチ軸６２ａが中間ギヤ６２の左側面から立設されている。第二クラッチ軸６２ａには、中心に軸孔６２ｂが開けられている。この軸孔６２ｂには、保持プレート２５の左側面におけるギヤ支持軸２５ｇが挿入されて、中間ギヤ６２は回転自在に支持される（図４参照）。
【００４５】
中間ギヤ６２の後方下側には、小ギヤ６３が配置され、中間ギヤ６２と小ギヤ６３が歯合される。小ギヤ６３は、保持プレート２５の小ギヤ支持軸２５ｈにより回転自在に支持される（図４参照）。一方、巻取ボビン３２の左側面中心には、固定ギヤ６４が設けられている。固定ギヤ６４は、巻取ボビン３２に対して固定されている。そして、小ギヤ６３は、固定ギヤ６４と歯合される。
【００４６】
また、中間ギヤ６２には、同軸に第二クラッチギヤ８２が設けられている。第二クラッチギヤ８２の内周には、波形に形成された３つのクラッチばね８２ａが形成されている。中間ギヤ６２の第二クラッチ軸６２ａの外周面は、３つのクラッチばね８２ａと内接されている。そして、３つのクラッチばね８２ａは、樹脂材料により径方向に弾発されるよう形成される。従って、第二クラッチ軸６２ａと３つのクラッチばね８２ａとにより、所定のクラッチ力で第二クラッチ軸６２ａとクラッチばね８２ａが滑り始める第２のクラッチ８０が形成される（図４及び図５参照）。
【００４７】
第二クラッチギヤ８２の前方側には、ラチェットギヤ８４が設けられている。ラチェットギヤ８４は、供給ボビン３１及び第一クラッチギヤ６１と同軸の挿入軸３３上に配置される。第二クラッチギヤ８２とラチェットギヤ８４は歯合される。
【００４８】
ラチェットギヤ８４の内周面には、円弧状のばね部８４ａが形成される。ばね部８４ａの先端部には、係止爪８４ｂが形成されている。係止爪８４ｂは、ばね部８４ａにより径方向内側（換言すれば、ラチェット軸３３ｄの軸心方向）に付勢されている。この係止爪８４ｂとラチェット軸３３ｄ外周のラチェット歯とにより、ラチェット機構が形成されている。
【００４９】
このラチェット機構は、図５に示すように、ラチェット軸３３ｄに対してラチェットギヤ８４が左側面視時計回り（Ｘ１の矢印で示す方向）に回転される場合には、係止爪８４ｂはラチェット歯を乗り越えて、ラチェットギヤ８４は回転される。一方、ラチェット軸３３ｄに対してラチェットギヤ８４が左側面視反時計回り（Ｘ１の矢印で示す方向と反対の方向）に回転される場合には、係止爪８４ｂはラチェット歯と係止する。
【００５０】
そして、これらの連動機構におけるギヤ（第一クラッチギヤ６１、中間ギヤ６２、小ギヤ６３、固定ギヤ６４、第二クラッチギヤ８２及びラチェットギヤ８４）の歯数の関係により、ラチェット軸３３ｄ及びラチェットギヤ８４がＸ１方向に回転する場合における、ラチェット軸３３ｄの回転数に対する係止爪８４ｂの回転数の比（係止爪８４ｂの回転数／ラチェット軸３３ｄの回転数）は、１より大きくなるよう形成されている。
【００５１】
次に、塗膜転写具１０の連動機構の動作を説明する。通常使用状態として、転写ヘッド２０を突出させて塗膜転写具１０を使用すると、供給ボビン３１は図５のＸ１の矢印で示すよう左側面視時計回りに回転する。すると、第一クラッチギヤ６１と歯合する中間ギヤ６２が左側面視反時計回り（Ｘ２の矢印で示す方向）に回転する。そして、中間ギヤ６２と小ギヤ６３が歯合するので、小ギヤ６３は、左側面視時計回り（Ｘ３の矢印で示す方向）に回転する。小ギヤ６３と歯合する固定ギヤ６４は、左側面視反時計回り（Ｘ４の矢印で示す方向）で回転する。固定ギヤ６４と巻取ボビン３２は固定されているので、巻取ボビン３２は固定ギヤ６４と同じ方向（Ｘ４の矢印で示す方向）に回転する。このようにして、供給ボビン３１から送られて、転写ローラ２３で転写された使用済みの転写テープＴが巻取ボビン３２に巻き取られる。
【００５２】
また、第二クラッチギヤ８２は、第二クラッチ軸６２ａを介して中間ギヤ６２と同じ左側面視反時計回り（Ｘ２の矢印で示す方向）で回転される。そして、第二クラッチギヤ８２と歯合されるラチェットギヤ８４は、左側面視時計回り（Ｘ１の矢印で示す方向）に回転する。
【００５３】
ここで、前述の通り、供給ボビン３１と一体的に回転されるラチェット軸３３ｄの回転数に対する係止爪８４ｂの回転数の比は、１より大きくなるよう形成されている。従って、ラチェットギヤ８４は、挿入軸３３よりも高い回転数でＸ１方向に回転する。すなわち、ラチェットギヤ８４の係止爪８４ｂは、ラチェット軸３３ｄに対して相対的にＸ１の方向に回転される。従って、係止爪８４ｂは、ラチェット歯を乗り越えるようにして回転される。換言すれば、ラチェットギヤ８４は挿入軸３３に対して空回りする。
【００５４】
なお、この通常使用状態においては、第一クラッチギヤ６１の歯数よりも固定ギヤ６４の歯数が少なく、また、胴部の直径は供給ボビン３１よりも巻取ボビン３２の方が大きい。よって、供給ボビン３１よりも巻取ボビン３２の回転が速くなる。これにより、供給ボビン３１が転写テープＴを送る送り量よりも、巻取ボビン３２が転写テープＴを巻き取る巻取量の方が多くなるよう設定される。そして、巻取量の方が超過している分は、第１のクラッチ６０の作用により適宜調整される。換言すれば、供給ボビン３１と巻取ボビン３２の回転数の差が第１のクラッチ６０により適宜調整される。
【００５５】
次に、転写テープＴの固着状態における動作を説明する。転写テープＴは、ガード枠２６の付近や使用済みの転写テープＴが巻取ボビン３２に巻き取られるまでの通路等において、消しゴムかすや転写されずに残った転写層（特にテープ糊における糊剤など）により軽度の固着が発生する場合がある。このような場合には、以下のように連動機構は動作する。
【００５６】
転写テープＴに軽度の固着が発生すると、転写テープＴは動かない。従って、巻取ボビン３２も動かなくなっている。よって、巻取ボビン３２に固定される固定ギヤ６４、小ギヤ６３、中間ギヤ６２及び第一クラッチギヤ６１も動かなくなっている。さらに、第二クラッチギヤ８２及びラチェットギヤ８４も動かなくなっている。このような状態からさらに転写操作を行い、供給ボビン３１を強制的に回転させると、第一クラッチギヤ６１が動かないので、クラッチばね６１ａが第一クラッチ軸３３ｃの外周を滑って第１のクラッチ６０が作動する。すると、供給ボビン３１及び供給ボビン３１に固定される挿入軸３３のみがＸ１方向に回転し始める。
【００５７】
挿入軸３３がＸ１方向に回転し始めると、前述の通り第一クラッチギヤ６１は動いていないので、係止爪８４ｂは、挿入軸３３のラチェット軸３３ｄにおけるラチェット歯に係止される。すると、ラチェットギヤ８４は、挿入軸３３（ラチェット軸３３ｄ）とともにＸ１方向に回転する。そして、ラチェットギヤ８４と歯合する第二クラッチギヤ８２がＸ２方向に回転する。第二クラッチギヤ８２がＸ２方向に回転すると、第２のクラッチ８０を介して第二クラッチギヤ８２と接続される中間ギヤ６２は、第二クラッチギヤ８２とともにＸ２方向に回転される。中間ギヤ６２がＸ２方向に回転すると、順次小ギヤ６３がＸ３方向に回転され、固定ギヤ６４がＸ４方向に回転されて、巻取ボビン３２がＸ４方向、すなわち巻取方向に強制的に回転され、使用済みの転写テープＴを巻き取ることができる。このようにして、転写テープＴの固着が強制的に解除され、通常使用状態に復帰する。
【００５８】
また、このような、ラチェット軸３３ｄの回転力がラチェット軸３３ｄと係止される係止爪８４ｂを介して巻取ボビン３２が回転される場合であっても、巻取ボビン３２における転写テープＴの巻取量は、供給ボビン３１における転写テープＴの送り量よりも多くなるよう設定されている。そして、巻取量の方が超過している分（換言すれば、供給ボビン３１と巻取ボビン３２の回転数の差）は、第２のクラッチ８０の作用により適宜調整される。
【００５９】
なお、ラチェット軸３３ｄの回転力がラチェット軸３３ｄと係止される係止爪８４ｂを介して巻取ボビン３２が回転される場合、第二クラッチギヤ８２とともに中間ギヤ６２の回転により第一クラッチギヤ６１がＸ１方向に回転されるが、第一クラッチギヤ６１のクラッチばね６１ａは第一クラッチ軸３３ｃの外周を滑って、第１のクラッチ６０が作動している状態となっている。
【００６０】
以上は説明のため動作毎に説明したが、実際には通常の転写操作の状態の途中で軽度の固着が発生する。しかしながらこのような場合であっても、引き続き転写操作を行うことにより強制的に供給ボビン３１が回転され、順次上記の動作が行われて、塗膜転写具１０は通常の状態に復帰される。
【００６１】
なお、転写テープＴが強固に固着してしまった場合には、係止爪８４ｂとラチェット軸３３ｄのラチェット歯の係止によりラチェットギヤ８４がＸ１方向に回転し、これにより第二クラッチギヤ８２がＸ２方向に回転しても、クラッチばね８２ａが第二クラッチ軸６２ａの外周を滑って第２のクラッチ８０が作動する。すると、中間ギヤ６２，小ギヤ６３，固定ギヤ６４は回転せず、よって巻取ボビン３２も回転しない。このような場合には、ケース本体５を分離して、外周が波形状とされる巻取ボビン３２の右側の鍔部３２ｂを手で静かに操作する等して転写テープＴの固着を解除することができる。
【００６２】
また、通常操作における転写操作の重さ（換言すれば、塗膜転写具１０を引くための力）は、第１のクラッチ６０のクラッチ力により決定される。一方、転写テープＴの固着状態から復帰されるまでの間の転写操作の重さは、第１のクラッチ６０のクラッチ力と第２のクラッチ８０のクラッチ力とが合算されたクラッチ力となる。従って、第１のクラッチ６０のクラッチ力と、第１のクラッチ６０のクラッチ力と第２のクラッチ８０のクラッチ力とを合算したクラッチ力の差を小さくすれば、通常の状態における転写操作の重さと復帰状態における転写操作の重さの差が小さくなり、使用者はこれらの状態の切り替わりを意識することなく転写操作を行うことができる。具体的には、第１のクラッチ６０のクラッチ力を第２のクラッチ８０のクラッチ力よりも数倍程度大きくしておくと好適である。
【００６３】
さらにまた、第２のクラッチ８０を省略して、第二クラッチギヤ８２と中間ギヤ６２とを同軸に一体とした二段ギヤとすることもできる。この二段ギヤを用いた構成によれば、転写テープＴに軽度の固着が発生して転写操作を続行し、供給ボビン３１と挿入軸３３のみがＸ１方向に回転しても、ラチェット軸３３ｄと係止爪８４ｂが係止すると、連動機構は回転せずに、これ以上の転写操作ができなくなる。この場合には、ケース本体５を分離して手動で転写テープＴの復帰作業を行うことができる。このようにして、第２のクラッチ８０を省略して、第二クラッチギヤ８２と中間ギヤ６２を一体とした二段ギヤを用いることにより、使用者は転写テープＴの固着を感知することができる。
【００６４】
次に、本実施形態の供給ボビン３１と巻取ボビン３２を連動させる連動機構について模式化した図を図７（ａ）に示し、その変形例を図７（ｂ），（ｃ）に示す。ここで、図７（ａ）〜（ｃ）は、それぞれ連動機構を平面視した模式図であり、矢印はそれぞれのギヤ等が回転する方向を示す。
【００６５】
上述の実施形態を模式図化した図７（ａ）に示すように、供給ボビン３１には、供給側回転軸１２１が固定されている。具体的には、上述の挿入軸３３が供給側回転軸１２１に相当する。一方、巻取ボビン３２には、巻取側回転軸１２２が固定されている。具体的には、巻取側回転軸１２２と上述の固定ギヤ６４は一体化して巻取ボビン３２に固定される。
【００６６】
そして、第１のクラッチ６０、第一クラッチギヤ６１、中間ギヤ６２、小ギヤ６３及び固定ギヤ６４により第１の回転連結機構１Ａが構成される。供給側回転軸１２１と巻取側回転軸１２２は、第１の回転連結機構１Ａにより回転力が伝達されるよう回転連結されている。
【００６７】
そして、供給側回転軸１２１には、ラチェット軸３３ｄが同軸上に固定されている。具体的には、上述の通り、挿入軸３３の一部として同軸にラチェット軸３３ｄが形成されている。さらに、ラチェット回転部材とされる係止爪８４ｂは、ラチェット軸３３ｄと係止可能に形成される。そして、ラチェット回転部材とされる係止爪８４ｂを備えるラチェットギヤ８４と、第二クラッチギヤ８２、中間ギヤ６２、小ギヤ６３及び固定ギヤ６４により、第２の回転連結機構２Ａが構成される。ラチェット軸３３ｄと巻取側回転軸１２２は、第２の回転連結機構２Ａにより回転力が伝達されるよう回転連結されている。
【００６８】
すなわち、中間ギヤ６２，小ギヤ６３及び固定ギヤ６４は、第１の回転連結機構１Ａともされ、第２の回転連結機構２Ａともされる。
【００６９】
ここで、既に説明した通り、ラチェット回転部材とされる係止爪８４ｂは、第１の回転連結機構１Ａにより回転力が伝達される場合には、ラチェット軸３３ｄの回転数に対する係止爪８４ｂの回転数の比が１より大きくなるよう形成されているので、ラチェット軸３３ｄよりも速く回転する。従って、ラチェット回転部材とされる係止爪８４ｂはラチェット軸３３ｄのラチェット歯に係止されず、ラチェット回転部材とされる係止爪８４ｂはラチェット軸３３ｄに対して回転（空回り）される。
【００７０】
一方、転写テープＴに軽度の固着が発生すると、第１のクラッチ６０が作動して、供給ボビン３１と供給側回転軸１２１（挿入軸３３）のみが回転する。すると、ラチェット回転部材とされる係止爪８４ｂはラチェット軸３３ｄのラチェット歯に係止される。係止爪８４ｂとラチェット軸３３ｄが係止されると、第２の回転連結機構２Ａにより、ラチェット軸３３ｄを介して供給側回転軸１２１の回転力が巻取側回転軸１２２に伝達されて巻取ボビン３２が回転され、塗膜転写具１０は通常の状態に復帰される。
【００７１】
また、図７（ａ）に示すように、第２のクラッチ８０は、第二クラッチギヤ８２と中間ギヤ６２との間に配置される。そして、第１の回転連結機構１Ａを介した供給ボビン３１と巻取ボビン３２の巻取量の調整は第１のクラッチ６０の作用により適宜調整され、第２の回転連結機構２Ａを介した供給ボビン３１と巻取ボビン３２の巻取量の調整は第２のクラッチ８０の作用により適宜調整される。なお、第２のクラッチ８０は、第２の回転連結機構２Ａを構成する何れかの部材間に配置することができるし、前述の通り、省略することもできる。
【００７２】
また、本実施形態においては、第１の回転連結機構１Ａ及び第２の回転連結機構２Ａを複数のギヤにより構成したが、第１の回転連結機構１Ａ及び第２の回転連結機構２Ａにおける回転力を伝達する部材はギヤに限られず、種々の公知の伝達部材、例えばプーリーとベルトによる構成等としても良いし、ギヤと併用しても良い。
【００７３】
また、第１のクラッチ６０及び第２のクラッチ８０の構造は、本実施形態におけるクラッチばね６１ａ，８２ａと第一クラッチ軸３３ｃ、第二クラッチ軸６２ａによる構成に限られず、摩擦板を用いた構造等の他の公知のクラッチ構造とすることもできる。また、係止爪８４ｂとラチェット軸３３ｄ外周のラチェット歯の関係を逆にして、ラチェット軸３３ｄの外周に、径外方向に弾発される係止爪を設けて、ラチェットギヤ８４の内周面にラチェット歯を形成しても良い。
【００７４】
また、本実施形態においては、第１の回転連結機構１Ａ及び第２の回転連結機構２Ａは、供給ボビン３１及び巻取ボビン３２の一方面側である左側の側面側に配置される。これにより、コンパクトに塗膜転写具１０を形成することができる。
【００７５】
しかしながら、図７（ｂ）に示すように、第１の回転連結機構１Ｂと第２の回転連結機構２Ｂを、供給ボビン３１及び巻取ボビン３２に対してそれぞれ左側の側面側に第１の回転連結機構１Ｂを配置し、右側の側面側に第２の回転連結機構２Ｂを配置することもできる。なお、供給側回転軸１２１及び巻取側回転軸１２２は、それぞれ供給ボビン３１、巻取ボビン３２を貫通するようにして、供給ボビン３１、巻取ボビン３２に固定されている。図７（ｂ）で示される変形例においては、第１の回転連結機構１Ｂは、第１のクラッチ６０、第一クラッチギヤ６１、中間ギヤ６２、小ギヤ６３及び固定ギヤ６４により形成される。第２の回転連結機構２Ｂは、ラチェット回転部材とされる係止爪８４ｂを備えるラチェットギヤ８４及びギヤ１２３，１２４，１２５により形成される。
【００７６】
なお、図７（ｂ）に示す変形例においては、供給ボビン３１の右側の側面側に形成される供給側回転軸１２１とラチェット軸３３ｄは同軸に固定されている。さらに、ギヤ１２５は、巻取ボビン３２の右側の側面側に形成される巻取側回転軸１２２と固定されている。
【００７７】
図７（ｂ）に示す変形例においても、連動機構は同様に動作される。すなわち、通常の転写操作においては、供給ボビン３１の回転により、供給ボビン３１の左側の側面側に形成される供給側回転軸１２１が回転し、第１の回転連結機構１Ｂ（第１のクラッチ６０、第一クラッチギヤ６１、中間ギヤ６２、小ギヤ６３、固定ギヤ６４）により巻取側回転軸１２２が回転し、巻取ボビン３２が回転される。このとき、供給側回転軸１２１と同軸に固定されるラチェット軸３３ｄは回転される。そして、巻取側回転軸１２２に固定されるギヤ１２５及びギヤ１２４，１２３を介してラチェットギヤ８４も回転される。しかしながら、ラチェット軸３３ｄの回転数に対する係止爪８４ｂの回転数の比が１より大きくなるよう形成されているので、第１の回転連結機構１Ｂにより回転力が伝達される場合には、ラチェットギヤ８４は、ラチェット軸３３ｄに対して速く回転し、空回りする。
【００７８】
そして、転写テープＴに軽度の固着が発生すると、第１の回転連結機構１Ｂ及び第２の回転連結機構２Ｂの回転が停止される。そこで転写操作を引き続き行って強制的に供給ボビン３１を回転させると、供給ボビン３１、供給側回転軸１２１及びラチェット軸３３ｄのみが回転して、係止爪８４ｂとラチェット軸３３ｄが係止される。すると、供給側回転軸１２１の回転力は、ラチェット軸３３ｄに伝達されて、第２の回転連結機構２Ｂ（ラチェット回転部材とされる係止爪８４ｂを備えるラチェットギヤ８４，ギヤ１２３，１２４，１２５）及び第２のクラッチ８０を介して巻取側回転軸１２２が回転し、巻取ボビン３２が回転される。このようにして、軽度の固着が発生した塗膜転写具１０は、通常の転写操作の状態に復帰される。
【００７９】
また、ラチェット軸３３ｄは、本実施形態においては挿入軸３３の一部として、供給側回転軸１２１と同軸に形成したが、これに限られず、例えば図７（ｃ）に示すように、供給側回転軸１２１から他のギヤ１３３，１３４を設けて、このギヤ１３４にラチェット軸を固定しても良い。しかしながら、供給側回転軸１２１とラチェット軸３３ｄを同軸とすれば、塗膜転写具１０の構成をコンパクトにすることができる。
【００８０】
なお、図７（ｃ）の変形例においては、第１の回転連結機構１Ｃは、第１のクラッチ６０，第一クラッチギヤ６１，中間ギヤ６２，小ギヤ６３及び固定ギヤ６４により形成される。第２の回転連結機構２Ｃは、ラチェット回転部材とされる係止爪８４ｂを備えるラチェットギヤ８４と、第二クラッチギヤ８２と、小ギヤ６３及び固定ギヤ６４により形成される。供給側回転軸１２１に固定されるギヤ１３３と、このギヤ１３３と歯合するギヤ１３４とにより、ラチェット軸３３ｄは供給側回転軸１２１と回転連結されている。
【００８１】
すなわち、図７（ｃ）の変形例に示すように、ラチェット軸３３ｄは、供給側回転軸１２１により回転するよう連結されていればよく、供給側回転軸１２１に同軸で固定されていなくても良い。
【００８２】
図７（ｃ）に示す変形例においても、連動機構は同様に動作される。すなわち、通常の転写操作においては、供給ボビン３１の回転により、供給側回転軸１２１が回転し、第１の回転連結機構１Ｃ（第１のクラッチ６０，第一クラッチギヤ６１，中間ギヤ６２，小ギヤ６３，固定ギヤ６４）により巻取側回転軸１２２が回転し、巻取ボビン３２が回転される。このとき、供給側回転軸１２１に固定されるギヤ１３３及びギヤ１３３と歯合する１３４とともにラチェット軸３３ｄは回転される。そして、巻取側回転軸１２２に固定される固定ギヤ６４及び小ギヤ６３、第二クラッチギヤ８２を介してラチェットギヤ８４も回転される。しかしながら、第１の回転連結機構１Ｃにより回転力が伝達される場合には、ラチェット軸３３ｄの回転数に対する係止爪８４ｂの回転数の比が１より大きくなるよう形成されているので、ラチェットギヤ８４は、ラチェット軸３３ｄに対して速く回転し、空回りする。
【００８３】
そして、転写テープＴに軽度の固着が発生すると、第１の回転連結機構１Ｃ及び第２の回転連結機構２Ｃの回転は停止される。そこで、転写操作を引き続き行って強制的に供給ボビン３１を回転させると、供給ボビン３１、供給側回転軸１２１、ギヤ１３３，１３４及びラチェット軸３３ｄのみが回転して、係止爪８４ｂとラチェット軸３３ｄが係止される。すると、第２の回転連結機構２Ｃ（ラチェット回転部材とされる係止爪８４ｂを備えるラチェットギヤ８４，第二クラッチギヤ８２，小ギヤ６３，固定ギヤ６４）及び第２のクラッチ８０を介して巻取側回転軸１２２が回転し、巻取ボビン３２が回転される。このようにして、軽度の固着が発生した塗膜転写具１０は、通常の転写操作の状態に復帰される。
【００８４】
以上、本発明に係る実施形態を説明したが、本発明は以上の実施形態によっては限定されることはなく、種々の形態で実施することができる。
【符号の説明】
【００８５】
１Ａ，１Ｂ，１Ｃ    第１の回転連結機構
２Ａ，２Ｂ，２Ｃ    第２の回転連結機構
５        ケース本体                  ５ｅ      開口部
７        出没操作レバー              １０      塗膜転写具
２０      転写ヘッド                  ２１      ベースプレート
２１ａ    供給ボビン受部              ２１ａ１  挿入孔
２１ｂ    巻取ボビン受部              ２１ｂ１  環状受部
２１ｂ２  巻取ボビン右支持軸          ２１ｂ３  ラチェット歯
２１ｄ    係止長孔                    ２１ｅ    係止長孔
２２      転写ローラ支持部            ２２ａ    右支持部
２２ｂ    支持円筒                    ２２ｃ    左支持部
２３      転写ローラ                  ２５      保持プレート
２５ａ    供給ボビン支持軸            ２５ｂ    巻取ボビン左支持軸
２５ｃ    結合プレート                ２５ｄ    結合プレート
２５ｅ    挿入突起                    ２５ｆ    カム部
２５ｇ    ギヤ支持軸                  ２５ｈ    小ギヤ支持軸
２６      ガード枠
３１      供給ボビン                  ３２      巻取ボビン
３２ａ    係止爪                      ３２ｂ    鍔部
３３      挿入軸                      ３３ａ    貫通孔
３３ｂ    鍔部                        ３３ｃ    第一クラッチ軸
３３ｄ    ラチェット軸                ４０      レフィールユニット
５１      左ケース                    ５１ａ    被係止部
５１ｂ    被係止部                    ５１ｃ    ガイド板
５１ｄ    第一ガイド柱                ５１ｅ    左開口部
５１ｆ    円弧孔部                    ５１ｊ    第二ガイド柱
５２      右ケース                    ５２ａ    係止部
５２ａ１  係合爪                      ５２ｂ    係止部
５２ｂ１  係合爪
５２ｃ    ガイド板被挿入部            ５２ｄ    第一ガイド柱被挿入部
５２ｅ    右開口部                    ５２ｊ    第二ガイド柱被挿入部
６０      第１のクラッチ              ６１      第一クラッチギヤ
６１ａ    クラッチばね                ６２      中間ギヤ
６２ａ    第二クラッチ軸              ６２ｂ    軸孔
６３      小ギヤ                      ６４      固定ギヤ
７０      出没シャッター部材          ７１      円環状部
７１ａ    フォロア部                  ７２      シャッター部
８０      第２のクラッチ              ８２      第二クラッチギヤ
８２ａ    クラッチばね                ８４      ラチェットギヤ
８４ａ    ばね部                      ８４ｂ    係止爪
１２１    供給側回転軸                １２２    巻取側回転軸
１２３    ギヤ                        １２４    ギヤ
１２５    ギヤ                        １３３    ギヤ
１３４    ギヤ
【図１】
0006499008.tif 000002
【図２】
0006499008.tif 000003
【図３】
0006499008.tif 000004
【図４】
0006499008.tif 000005
【図５】
0006499008.tif 000006
【図６】
0006499008.tif 000007
【図７】
0006499008.tif 000008